(57)【要約】      （修正有）【課題】広告用紙が薄い場合でも吊り広告でカールすることなく、さらに広告用紙を薄くしても反対側の広告文や写真等の印刷部分が透けて見えることのない広告媒体を提供する。【解決手段】広告用紙１０の中央部分に２本の谷折り線を設け、この谷折り線に沿って広告用紙１０を折曲して、広告用紙１０の間に空間部１４を形成する。広告用紙１０の上部を車内の吊り広告用の取付器具１の挟持片２、３にて挟持する。空間部１４の存在により反対側の印刷部分が透けて見えることが無い。また、広告用紙１０はカールも防止でき、厚みを薄くでき、そのため、コストも低減できる。【選択図】図７
2011257466.tif 000002
【特許請求の範囲】
【請求項１】
広告文や写真を印刷した面を外側となるように広告用紙（１０）を２つ折りし、この２つ折りした広告用紙（１０）の上部の重ね合わせ部分を車内の吊り広告用の取付器具（１）に挟持していることを特徴とする広告媒体。
【請求項２】
広告用紙（１０）の表面には広告文や写真が印刷され、該広告用紙（１０）の裏面には所定の間隔でもって２本の谷折り線（１２）（１３）が設けられ、広告文や写真を印刷した面を外側となるように前記谷折り線（１２）（１３）をそれぞれ谷折りして内部に空間部（１４）を形成し、前記広告用紙（１０）の上部の重ね合わせ部分を車内の吊り広告用の取付器具（１）に挟持していることを特徴とする広告媒体。
【請求項３】
前記広告用紙（１０）の上部間にスペーサー（１６）を配していることを特徴とする請求項２に記載の広告媒体。
【請求項４】
前記スペーサー（１６）の断面を略コ字型に形成すると共に、一方の片を上方に長くした取付片（２２）を形成し、この取付片（２２）に吊り広告用の取付器具（１）に挟持可能としていることを特徴とする請求項３に記載の広告媒体。
【請求項５】
前記広告用紙（１０）の谷折り線（１２）（１３）の間に山折り部分（１８）を設けていることを特徴とする請求項２〜請求項４のいずれかに記載の広告媒体。
【請求項６】
広告用紙（１０）の表面の少なくとも一方には広告文や写真が印刷され、該広告用紙（１０）の裏面には所定の間隔でもって２本の谷折り線（１２）（１３）が設けられ、広告文や写真を印刷した面を外側となるように前記谷折り線（１２）（１３）をそれぞれ谷折りして内部に空間部（１４）を形成し、
前記広告用紙（１０）の上部間にスペーサー（１６）を配して該広告用紙（１０）とスペーサー（１６）とで広告媒体（２０）とし、
前記広告媒体（２０）を窓ガラス（５）に配置していることを特徴とする広告媒体。
【発明の詳細な説明】
【技術分野】
【０００１】
本発明は、薄い用紙を用いて構成した広告媒体に関するものである。
【背景技術】
【０００２】
図２０及び図２１は、電車内でよく見られる吊り広告を示しており、取付器具１の一対の挟持片２、３にて両面が広告面となるように２枚の広告用紙５１が挟持されて吊設されている。広告用紙５１は２枚が合わされて吊設されるために裏面は印刷されておらず、表面だけが広告用の写真や文字が印刷されている。
【０００３】
広告用紙５１の下端は開放されて自由端となっているために、車内の温度や湿度により図２１に示すようにカールする場合がある（図２１のＡ部参照）。かかる場合では、吊り広告は下から見るために、広告を全面的に見ることが出来ず、広告効果を損なうことになる。
この広告用紙５１がカールするのを防ぐ方法としては、広告用紙５１の厚みを厚く（坪量を大きく）することで、カールするのをある程度防ぐことができる。
【０００４】
しかしながら、広告用紙５１の坪量を大きくすると、広告用紙５１のコストが高くなるという問題が生じる。また、通常は、２枚の広告用紙５１を重ね合わせて取付器具１の挟持片２、３に挟持させるので、広告用紙５１がずれたりする場合もあり、そのため、重ね合わせた広告用紙５１がずれないように慎重に取付器具１に取り付ける必要があり、取り付けの作業性が悪いという問題もある。
【０００５】
図２２はお店の窓ガラス５の内側に例えば、値段を書いた紙５３を貼っている場合を示しており、外からコーヒーなどの値段が分かるようにしている。この場合、雨で紙５３が汚れたり、剥がれたりすることがないように窓ガラス５の内側に貼っている。
一方、お店の中に入った人に広告として紙５３の他方の面に印刷したくても、外が明るい場合には、図２３に示すように、紙５３の文字等が裏面側に逆向きに透けて見えるために、紙５３の裏面（お店の中側）に印刷をしても該印刷面（広告面）と反対側の透けて見えている部分が重なって見えて広告効果を十分に発揮することができない。
【発明の概要】
【発明が解決しようとする課題】
【０００６】
本発明は上述の問題点に鑑みて提供したものであって、少なくとも以下の目的を持った広告媒体を提供するものである。
（１）広告用紙が薄い場合でも吊り広告でカールしないようにすること。
（２）広告用紙を薄くしても反対側の広告文や写真等の印刷部分が透けて見えないようにすること。
（３）広告用紙を薄くすることでコストの低減を図ること。
（４）窓ガラスに広告媒体を貼っても表面側の広告文や写真等が裏面側に透けて映らないようにすること。
【課題を解決するための手段】
【０００７】
そこで、本発明の請求項１に記載の広告媒体では、広告文や写真を印刷した面を外側となるように広告用紙１０を２つ折りし、この２つ折りした広告用紙１０の上部の重ね合わせ部分を車内の吊り広告用の取付器具１に挟持していることを特徴としている。
【０００８】
請求項２に記載の広告媒体では、広告用紙１０の表面には広告文や写真が印刷され、該広告用紙１０の裏面には所定の間隔でもって２本の谷折り線１２、１３が設けられ、広告文や写真を印刷した面を外側となるように前記谷折り線１２、１３をそれぞれ谷折りして内部に空間部１４を形成し、前記広告用紙１０の上部の重ね合わせ部分を車内の吊り広告用の取付器具１に挟持していることを特徴としている。
【０００９】
請求項３に記載の広告媒体では、前記広告用紙１０の上部間にスペーサー１６を配していることを特徴としている。
【００１０】
請求項４に記載の広告媒体では、前記スペーサー１６の断面を略コ字型に形成すると共に、一方の片を上方に長くした取付片２２を形成し、この取付片２２に吊り広告用の取付器具１に挟持可能としていることを特徴としている。
【００１１】
請求項５に記載の広告媒体では、前記広告用紙１０の谷折り線１２、１３の間に山折り部分１８を設けていることを特徴としている。
【００１２】
請求項６に記載の広告媒体では、広告用紙１０の表面の少なくとも一方には広告文や写真が印刷され、該広告用紙１０の裏面には所定の間隔でもって２本の谷折り線１２、１３が設けられ、広告文や写真を印刷した面を外側となるように前記谷折り線１２、１３をそれぞれ谷折りして内部に空間部１４を形成し、
前記広告用紙１０の上部間にスペーサー１６を配して該広告用紙１０とスペーサー１６とで広告媒体２０とし、前記広告媒体２０を窓ガラス５に配置していることを特徴としている。
【発明の効果】
【００１３】
本発明の請求項１に記載の広告媒体によれば、広告文や写真を印刷した面を外側となるように広告用紙１０を２つ折りし、この２つ折りした広告用紙１０の上部の重ね合わせ部分を車内の吊り広告用の取付器具１に挟持しているので、２つ折りした折曲部分が下側にくることになり、従来のように広告用紙１０の下端が開放されずに閉塞された状態となる。そのため、該広告用紙１０の厚みが２倍となった１枚の広告用紙１０のようになり、車内の温度や湿度の影響を受けにくくなって、広告用紙１０の下部が従来のようにカールすることもない。また、広告用紙１０の反対側の印刷部分が表面側（見ている側）に透けて映ることもない。そのため、広告効果を上げることができる。また、たとえ反対側の印刷部分が透けて見えても気にならない程度である。
また、１枚の広告用紙１０を谷折り線１１で折って上部の開放部分を取付器具１の挟持片２にて挟持しており、広告用紙１０の下端は閉塞された状態であるため、該広告用紙１０の厚みの２倍の厚みを持った広告用紙１０と同等なり、そのため、広告用紙１０自体の厚みを薄くすることができる。さらに、従来の吊り広告用の広告用紙の坪量が１１０〜１２０ｇ／ｍ2 であるが、本発明の広告用紙１０では、２０〜３０％程度抑えることができ、そのため、コストメリットを出すことができる。
さらに、従来では、２枚の広告用紙を重ね合わせて取付器具１に取り付けるようにしていたが、本発明では、１枚の広告用紙１０を折って取付器具１に取り付けるので、取付器具１に簡単に取り付けることができ、取り付けの作業性を向上させることができる。
【００１４】
請求項２に記載の広告媒体によれば、広告用紙１０の表面には広告文や写真が印刷され、該広告用紙１０の裏面には所定の間隔でもって２本の谷折り線１２、１３が設けられ、広告文や写真を印刷した面を外側となるように前記谷折り線１２、１３をそれぞれ谷折りして内部に空間部１４を形成し、前記広告用紙１０の上部の重ね合わせ部分を車内の吊り広告用の取付器具１に挟持しているので、広告用紙１０を取付器具１に取り付けた状態では、前記請求項１の効果に加えて、空間部１４により互いに他方の印刷部分は完全に透けて見えることがない。そのため、広告効果を一層向上させることができる。
【００１５】
請求項３に記載の広告媒体によれば、前記広告用紙１０の上部間にスペーサー１６を配しているので、上記請求項１の効果に加えて、空間部１４を広告用紙１０の全面にわたって形成されることになり、該空間部１４により広告媒体２０の反対側の印刷部分が透けて見えることがなく、広告効果を一層高めることができる。
【００１６】
請求項４に記載の広告媒体によれば、前記スペーサー１６の断面を略コ字型に形成すると共に、一方の片を上方に長くした取付片２２を形成し、この取付片２２に吊り広告用の取付器具１に挟持可能としているので、既存の取付器具１に広告媒体２０に空間部１４を形成すべく幅のあるスペーサー１６を用いた場合においても、取付器具１の構造を変えることなく、広告媒体２０を取付器具１に取り付けることができる。
【００１７】
請求項５に記載の広告媒体によれば、前記広告用紙１０の谷折り線１２、１３の間に山折り部分１８を設けているので、山折り部分１８により広告媒体２０（広告用紙１０）に見る者に美感を与え、意匠的効果を付与することができる。
【００１８】
請求項６に記載の広告媒体によれば、広告用紙１０の表面の少なくとも一方には広告文や写真が印刷され、該広告用紙１０の裏面には所定の間隔でもって２本の谷折り線１２、１３が設けられ、広告文や写真を印刷した面を外側となるように前記谷折り線１２、１３をそれぞれ谷折りして内部に空間部１４を形成し、前記広告用紙１０の上部間にスペーサー１６を配して該広告用紙１０とスペーサー１６とで広告媒体２０とし、前記広告媒体２０を窓ガラス５に配置しているので、外が明るくても、お店の中から広告媒体２０を見ても反対側の印刷部分が透けて見えることがない。そのため、広告媒体２０の屋内側の面に広告を載せても該面に反対側の印刷部分が透けて見えないために、広告効果を上げることができる。また、広告媒体２０の両面に広告を載せることができるので、広告媒体２０を有効に利用できて、広告の効率が良い。
【図面の簡単な説明】
【００１９】
【図１】本発明の第１の実施の形態における広告用紙の裏面図である。
【図２】本発明の第１の実施の形態における広告用紙を２つ折りする場合の説明図である。
【図３】本発明の第１の実施の形態における２つ折りした広告用紙を用いて吊り広告をした場合の図である。
【図４】本発明の第２の実施の形態における広告用紙の裏面図である。
【図５】本発明の第２の実施の形態における２本の谷折り線で折った広告用紙の側面図である。
【図６】本発明の第２の実施の形態における広告用紙を用いて吊り広告をした場合の正面図である。
【図７】本発明の第２の実施の形態における広告用紙を用いて吊り広告をした場合の斜視図である。
【図８】本発明の第３の実施の形態における広告用紙の斜視図である。
【図９】本発明の第３の実施の形態におけるスペーサーの斜視図である。
【図１０】（ａ）（ｂ）は本発明の第３の実施の形態におけるスペーサーを配した場合の広告用紙の正面図及び側面図である。
【図１１】本発明の第３の実施の形態における広告用紙を用いて吊り広告をした場合の正面図である。
【図１２】本発明の第３の実施の形態におけるスペーサーを配して吊り広告をした場合の断面図である。
【図１３】本発明の第４の実施の形態における広告媒体を窓ガラスに配した場合の図である。
【図１４】本発明の第４の実施の形態における広告媒体を窓ガラスに配した場合の断面図である。
【図１５】本発明の第５の実施の形態における広告用紙の斜視図である。
【図１６】本発明の第５の実施の形態における広告媒体の斜視図である。
【図１７】本発明の第６の実施の形態におけるスペーサーの他の例の斜視図である。
【図１８】本発明の第６の実施の形態におけるスペーサーの更に他の例の斜視図である。
【図１９】本発明の第６の実施の形態における広告媒体を取付器具に取り付ける場合の説明図である。
【図２０】従来例の広告用紙を用いた吊り広告を示す図である。
【図２１】従来例の広告用紙を用いた吊り広告における問題点を示す説明図である。
【図２２】従来例の紙を窓ガラスに貼っている状態を示す図である。
【図２３】従来例の紙を窓ガラスに貼った場合の問題点を示す説明図である。
【発明を実施するための形態】
【００２０】
（第１の実施の形態）
以下、本発明の第１の実施の形態を図面を参照して詳細に説明する。図１は電車やバス等の車内での吊り広告用の広告用紙１０の裏面図を示し、この広告用紙１０の中央部分に縦方向に谷折り線１１を設けている。
広告用紙１０の表面側には、谷折り線１１を境にして異なる広告提供会社の広告文や写真等が予め別々に印刷されている。
【００２１】
吊り広告をする場合には、図２に示すように谷折り線１１で広告用紙１０を２つに折り、合わせた部分を図３に示すように取付器具１の挟持片２にて挟持して広告用紙１０を吊設する。広告用紙１０を取付器具１に取り付けた場合では、２つ折りした折曲部分が下側にくるために、従来のように広告用紙１０の下端が開放されずに閉塞された状態となる。
【００２２】
そのため、該広告用紙１０の厚みが２倍となった１枚の広告用紙１０のようになり、車内の温度や湿度の影響を受けにくくなって、広告用紙１０の下部が従来のようにカールすることもない。また、広告用紙１０の反対側の印刷部分が表面側（見ている側）に透けて映ることもない。そのため、広告効果を上げることができる。また、たとえ反対側の印刷部分が透けて見えても気にならない程度である。
【００２３】
また、１枚の広告用紙１０を谷折り線１１で折って上部の開放部分を取付器具１の挟持片２にて挟持しており、広告用紙１０の下端は閉塞された状態であるため、該広告用紙１０の厚みの２倍の厚みを持った広告用紙１０と同等なり、そのため、広告用紙１０自体の厚みを薄くすることができる。
従来の吊り広告用の広告用紙の坪量が１１０〜１２０ｇ／ｍ2 であるが、本発明の広告用紙１０では、２０〜３０％程度抑えることができ、そのため、コストメリットを出すことができる。
【００２４】
さらに、従来では、２枚の広告用紙を重ね合わせて取付器具１に取り付けるようにしていたが、本発明では、１枚の広告用紙１０を折って取付器具１に取り付けるので、取付器具１に簡単に取り付けることができ、取り付けの作業性を向上させることができる。
【００２５】
（第２の実施の形態）
図４は第２の実施形態における広告用紙１０の裏面図を示し、本実施形態では広告用紙１０に２本の谷折り線１２、１３を設けたものである。この２本の谷折り線１２、１３で谷折りすることで、図５に示すように、広告用紙１０の間に空間部１４が形成されることになる。
【００２６】
そして、図６及び図７に示すように、空間部１４を形成した広告用紙１０の上部を取付器具１の挟持片２、３に挟持する。広告用紙１０を取付器具１に取り付けた状態では、前記第１の実施形態の効果に加えて、空間部１４により互いに他方の印刷部分は完全に透けて見えることがない。そのため、広告効果を一層向上させることができる。
なお、空間部１４を形成すべく、谷折り線１２、１３間の寸法は５ｍｍ〜１５ｍｍの範囲が好適例である。
【００２７】
（第３の実施の形態）
次に第３の実施形態について説明する。本実施形態では、図４に示すのと同様の広告用紙１０を用いているものであり、２本の谷折り線１２、１３にて広告用紙１０を折り、その上部を重ね合わせるのではなく、広告用紙１０の上部の空間部分に図９に示すスペーサー１６を配するようにしたものである。
このスペーサー１６は、例えば合成樹脂製として重さを軽くし、四角筒状であり、幅寸法を広告用紙１０の空間部１４の幅寸法を同じとしている。また、スペーサー１６の両側面の所定箇所には剥離自在な接着剤を塗布しておき、広告用紙１０の上部の内面がスペーサー１６に側面に簡単に接着あるいは剥離可能としている。なお、広告用紙１０とスペーサー１６とで広告媒体２０と称する。
【００２８】
図１０（ａ）は広告用紙１０の上部の間にスペーサー１６を配した状態の広告媒体２０の正面図を示し、図１０（ｂ）は広告媒体２０の側面図を示している。図示するようにスペーサー１６により広告用紙１０の間には全面にわたって空間部１４が形成され、しかも、上下方向及び幅方向にわたって均一の幅寸法を有する空間部１４が形成されることになる。
【００２９】
図１１は広告媒体２０を取付器具１に取り付けた状態を示し、図１２は断面図を示している。本実施形態では、スペーサー１６を介在させているために、取付器具１の挟持片２、３の間の寸法を少なくともスペーサー１６の幅寸法を取る必要がある。
【００３０】
このように本実施形態では、上記実施形態の効果に加えて、空間部１４を広告用紙１０の全面にわたって形成しているので、空間部１４により広告媒体２０の反対側の印刷部分が透けて見えることがなく、広告効果を一層高めることができる。
【００３１】
（第４の実施の形態）
図１３及び図１４は第４の実施形態を示し、上記第３の実施形態にて広告用紙１０とスペーサー１６とを用いて構成した広告媒体２０を窓ガラス５の内面に配するようにしたものである。この広告媒体２０は上記と同様に空間部１４を設けているので、外が明るくても、お店の中から広告媒体２０を見ても反対側の印刷部分が透けて見えることがない。
そのため、広告媒体２０の屋内側の面に広告を載せても該面に反対側の印刷部分が透けて見えないために、広告効果を上げることができる。また、広告媒体２０の両面に広告を載せることができるので、広告媒体２０を有効に利用できて、広告の効率が良い。
なお、本実施形態では、広告媒体２０の屋内側に広告を載せても、載せなくても良いが、広告媒体２０の両面に広告を載せる方が好適例である。
【００３２】
（第５の実施の形態）
図１５は第５の実施形態を示し、スペーサー１６を用いない場合における広告用紙１０の底面に山折り部分１８を形成したものである。また、図１６はスペーサー１６を用いた広告媒体２０において、広告媒体２０の底面に同様に山折り部分１８を設けたものである。
山折り部分１８により広告媒体２０（広告用紙１０）に見る者に美感を与え、意匠的効果を付与することができる。
【００３３】
（第６の実施の形態）
図１７は第６の実施形態を示し、スペーサー１６の他の例を示している。先の実施形態でのスペーサー１６を断面略口型としていたが、本実施形態では、断面を略コ字型としたものである。
また、図１８はスペーサー１６の更に他の例を示し、スペーサー１６の一方の片を長く形成したものであり、この長く形成した片を取付片２２とする。
【００３４】
図１９に示すように、スペーサー１６の取付片２２が上側に位置させるように広告用紙１０の上部間に配し、取付器具１の挟持片２、３間の幅があまり取れない場合に、薄く形成した取付片２２を挟持片２、３に挿入して、該挟持片２、３により取付片２２を挟持することで、広告媒体２０を簡単に取付器具１に取り付けることができるものである。
また、既存の取付器具１に広告媒体２０に空間部１４を形成すべく幅のあるスペーサー１６を用いた場合においても、取付器具１の構造を変えることなく、広告媒体２０を取付器具１に取り付けることができる。
【符号の説明】
【００３５】
１  取付器具
５  窓ガラス
１０  広告用紙
１２、１３  谷折り線
１４  空間部
１８  山折り部分
２０  広告媒体
２２  取付片
【図１】
2011257466.tif 000003
【図２】
2011257466.tif 000004
【図３】
2011257466.tif 000005
【図４】
2011257466.tif 000006
【図５】
2011257466.tif 000007
【図６】
2011257466.tif 000008
【図７】
2011257466.tif 000009
【図８】
2011257466.tif 000010
【図９】
2011257466.tif 000011
【図１０】
2011257466.tif 000012
【図１１】
2011257466.tif 000013
【図１２】
2011257466.tif 000014
【図１３】
2011257466.tif 000015
【図１４】
2011257466.tif 000016
【図１５】
2011257466.tif 000017
【図１６】
2011257466.tif 000018
【図１７】
2011257466.tif 000019
【図１８】
2011257466.tif 000020
【図１９】
2011257466.tif 000021
【図２０】
2011257466.tif 000022
【図２１】
2011257466.tif 000023
【図２２】
2011257466.tif 000024
【図２３】
2011257466.tif 000025